(57)【特許請求の範囲】
【請求項１】
構造物の側面に沿って設けられた一定高さかつ床板を有する複数段の足場の中間にこの足場と隣接して配設され、足場の上方への増設ごとに段階的に上方へ積層される複数の方形枠体からなり、かつ、各方形枠体内の足場の床板と同じ高さ位置に作業床を配設して構成されるポストと、ポストの上部に配設された揚重機構とからなるクレーンであって、
上記各方形枠体は、その高さが足場の一層分の高さと同一となるように構成されてなり、この方形枠体の下端或いは上端に作業床を固定的に取り付けてなることを特徴とするクレーン。
【発明の詳細な説明】
【０００１】
【発明の属する技術分野】
本発明は、ビル等の建設現場に設置されるクレーンに関するものである。
【０００２】
【従来の技術】
従来、建物を構築するにあたり、各種資機材を上階へ搬送するためにポストと揚重機構とを備えたクレーンが敷地内に設置されている。このクレーンは、建物の構築が上方へ伸びるのに従い、ポストを順状継ぎ足しながら上方へ伸ばしていく構成のものである。
【０００３】
また、建設中の建物の側面には作業用の足場が設けられている。このとき、作業ヤードに余裕があれば、建物構築位置や、近傍の空地にクレーンを設置すればよい。しかし、都市部においては、土地の有効利用の観点から、既設の建物が隣接した狭隘な場所に敷地面積とほぼ同等の横断面積をもつ建物を構築するケースが多いため、クレーンを設置する場所を確保するのが非常に困難となっている。
【０００４】
【発明が解決しようとする課題】
しかしながら、階数の多い比較的高層の建物であれば、建物内に設けられるエレベータシャフト空間を利用して、そこにクレーンのポストを設置することも可能であるが、ポストの増設、撤去時の作業が複雑となる。
【０００５】
また、低層の建物の場合は、そのような空間もとれない場合がある。このため、足場が設置されている空間を利用してクレーンのポストを設置することが行われている。しかし、ポストは筒状であるため、そのポスト位置では足場内での作業者の通行が妨げられてしまい、建物の構築の施工性を低下させてしまうといった問題があった。
【０００６】
本発明は、上述のような点に鑑みて開発されたものであり、建物が隣接した狭隘な場所等の制約を受けるビル等の構造物の建設現場等において、構造物に沿って設けられる各階の足場のスペースを利用して設置でき、かつ、作業者の通行の妨げになることもないクレーンを提供することを目的とする。
【０００７】
【課題を解決するための手段】
本発明は、上記の目的を有効に達成するために、次のような構成にしてある。すなわち、本発明のクレーンは、構造物の側面に沿って設けられた一定高さかつ床板を有する複数段の足場の中間にこの足場と隣接して配設され、足場の上方への増設ごとに段階的に上方へ積層される複数の方形枠体からなり、かつ、各方形枠体内の足場の床板と同じ高さ位置に作業床を配設して構成されるポストと、ポストの上部に配設された揚重機構とからなることを特徴とする構成である。
【０００８】
【発明の実施の形態】
以下、本発明の実施の形態を詳細に説明する。
図１は構築部物の建設現場に設けた本発明のクレーンの説明図であり、図２は側方から見たクレーンの説明図であり、図３はクレーンの一部拡大図であり、図４は１例の方形枠体の斜視図であり、図５は方形枠体の柱部材とストッパー部材との連結箇所を示す斜視図であり、図６は構造物に沿って設けられた足場に配設した１対の方形枠体を平面視した説明図であり、図７は上下に配設した方形枠体の柱部材の連結箇所を示す説明図であり、図８は構造物に方形枠体を支持させた状態を示す平面視の説明図である。
【０００９】
図１〜図３に示すように、１は本発明に係るクレーンであって、複数の方形枠体２を上方へ積層して構成した２本のポスト３と、両ポスト３の上部４に配設された揚重機構５とからなる。
【００１０】
そこで先ず方形枠体２（図４参照）を説明すると、図示の例の方形枠体２は、全体が直方体形状で四隅に柱部材６ａ、６ｂを配し、柱部材間の広い柱部材６ａと柱部材６ｂとはその上部、下部並びに中間部に梁材７を設け、各梁材７間にはトラス状に補強部材８を設けてある。また、柱部材間の狭い柱部材６ａ、６ａ間並びに柱部材６ｂ、６ｂ間には、上部と下部に梁材９ａ、９ｂを設けてある。下部の梁材９ｂ間には、各梁材９ｂに係止できるフック１１を有する作業床１０が掛け渡されている。
【００１１】
更に柱部材６ａ、６ａ間並びに柱部材６ｂ、６ｂ間で、各梁材９ａ、９ｂ近傍には、ストッパー部材１２が設けてある。ストッパー部材１２（図４、図５参照）は、Ｃ型鋼からなり、ボルト挿通孔１３を設けた当て板１４が設けてある。一方、各柱部材６ａ、６ｂには、このストッパー部材１２の当て板１４と当接できる位置に、ボルト挿通孔１５を設けた支持板１６が固着してある。各ストッパー部材１２は、ボルト・ナット１７によって各支持板１６に着脱可能に取り付けできるようにしてある。
【００１２】
また、上方に積層する互いの方形枠体２を連結固定できるように、図７（及び図４参照）に示すように、各柱部材６ａ、６ｂの上端並びに下端の傍の外側面には、ボルト用の貫通孔１８を３箇所に設けた鍔板１９が、方形枠体２の内方向側に設けてある。
【００１３】
上記した方形枠体２を上方に積層し、上下に位置する方形枠体２の各柱部材６ａ、６ｂの対峙する鍔板１９を、ボルト２０（図７参照）、ナット（図示せず）によって連結していくことにより、構造物Ａ（図１参照）の建築現場でポスト３は構築される。
【００１４】
また、所定間隔を以って構築される一対のポスト３の上部４に配設される揚重機構５（図１〜図３参照）は、掛渡し部材２１を介して、昇降可能に各ポスト３に着脱される昇降装置２６と、掛渡し部材２１の中央に立設されるクレーン支持体２３と、クレーン支持体２３の上部に回転駆動機構（図示省略）によって旋回するように設けられるクレーン部２４、更に各ポスト３に着脱できる昇降補助枠体２５と、支持枠体２２並びにクレーン支持体２３及びクレーン部２４を同時に昇降させる昇降装置２６とからなる。昇降装置２６は、各ポスト３の支持枠体２２、及び掛渡し部材２１に設けられている。また、揚重機構５は、現場での最初の組み立て（低層階での組み立て）のときは、他のクレーン（図示せず）によって各部材を吊り上げられてポスト３の上部４に組み立てられる。
【００１５】
上記の昇降装置２６は、油圧シリンダー２６ａ等によって構成されていて、油圧シリンダー２６ａの後部２７を掛渡し部材２１に固定し、シリンダーロッド２８の先端部を昇降補助枠体２５に連結してある。そして揚重機構５を上昇させる場合は、各ポスト３に対しそれぞれの支持枠体２２を固定せずに昇降自由の状態にするとともに、各昇降補助枠体２５を方形枠体２のストッパー部材１２に固定し、各シリンダーロッド２８を同時に伸ばすことにより、揚重機構５を上方へ移動させることができる。その後は、その位置で各支持枠体２２をポスト３に固定するとともに、各昇降補助枠体２５を固定解除してポスト３から昇降自由の状態にし、各シリンダーロッド２８を収縮させるとともに各昇降補助枠体２５をポスト３の上の位置に移動させ、再び各昇降補助枠体２５をポスト３に固定し、かつ、各ポスト３に固定していた支持枠体２２を固定解除して昇降自由の状態にする。このようにして再び各シリンダーロッド２８を伸ばして揚重機構５を上方へ移動させる。方形枠体２の上方への構築に伴って上記の動作を繰り返し、揚重機構５を上方へ移動させていき、所望高さでクレーン部２４によって建設資材等の荷揚げ等を行う。
【００１６】
上述したクレーン１は、建設現場において構造物Ａの上方への構築とともに、構造物Ａの側面に沿って設けられる足場Ｂの箇所に設けられ、方形枠体２を積層して上方へとポスト３を伸ばし、上記したように揚重機構５を上方へ移動させていく。
【００１７】
方形枠体２を上方へ積層していく場合、方形枠体２は構造物Ａの側面に沿って設けられた一定高さかつ床板２９（図６、図８参照）を有する複数段の足場Ｂの中間にこの足場Ｂと隣接して設ける。また、ポスト３を構成する各方形枠体２を安定的に固定するために、構造物Ａの側壁３０にアンカーボルト３１を介して係止金具３２を設け、この係止金具３２と方形枠体２の側壁３０側の柱部材６ａ、６ｂとを長さ調節可能な連結具３３で連結して支持する。この支持は、各方形枠体２毎に行うも或いは積層した各方形枠体２に対して所定間隔毎に行うも自由である。
【００１８】
なお、方形枠体２の高さを足場Ｂの一層分の高さと同じにしておけば、作業床１０を方形枠体２の下端或いは上端に固定的に取り付けた状態で、作業床１０の高さと足場Ｂの床板２９の高さを一致させることができ、ポストを好適に配置することができる。
【００１９】
【発明の効果】
このように本発明のクレーンでは、構造物に沿って設けられる各階の足場のスペースを利用して設置することができ、建物が隣接した狭隘な場所等の制約を受ける低層や高層のビル等の構造物の建設現場において有用である。また、方形枠体を上方に積層して構築されるポストにおいて、各足場に設けた方形枠体は作業者の通行の妨げになることもなく、建設作業の進行に支障をきたすこともない。また、完成した構造物から撤去する場合も、足場の撤去と併行して行うことができ、従来に比べ撤去作業を容易に行うことができる。
【００２０】
【図面の簡単な説明】
【図１】構築部物の建設現場に設けた本発明のクレーンの説明図である。
【図２】側方から見たクレーンの説明図である。
【図３】クレーンの一部拡大図である。
【図４】１例の方形枠体の斜視図である。
【図５】方形枠体の柱部材とストッパー部材との連結箇所を示す斜視図である。
【図６】構造物に沿って設けられた足場に配設した１対の方形枠体を平面視した説明図である。
【図７】図７は上下に配設した方形枠体の柱部材の連結箇所を示す説明図である。
【図８】構造物に方形枠体を支持させた状態を示す平面視の説明図である。
【符号の説明】
１  クレーン
２  方形枠体
３  ポスト
４  上部
５  揚重機構
１０  作業床
２９  床板
Ａ  構造物
Ｂ  足場
【図１】
0004374129.tif 000002
【図２】
0004374129.tif 000003
【図３】
0004374129.tif 000004
【図４】
0004374129.tif 000005
【図５】
0004374129.tif 000006
【図６】
0004374129.tif 000007
【図７】
0004374129.tif 000008
【図８】
0004374129.tif 000009